(57)【特許請求の範囲】
【請求項１】
タイトルネームを記録したディスクを再生するディスク再生装置であって、前記ディスクの再生時、前記タイトルネームを構成する複数のキャラクタのうちの特定のキャラクタを判別する判別手段と、前記判別手段の判別結果に基づいて、前記タイトルネームを前記特定のキャラクタより前のキャラクタ部分と後のキャラクタ部分とを別々に表示する表示手段とを備え、
表示手段は、前記判別手段の判別結果に基づいて、前記タイトルネームを前記特定のキャラクタより前のキャラクタ部分と後のキャラクタ部分とを別々の行に表示すること、
を特徴とするディスク再生装置。
【請求項２】
請求項１記載のディスク再生装置において、ディスクはミニディスクであるディスク再生装置。
【請求項３】
請求項２記載のディスク再生装置において、タイトルネームはトラックナンバーに対応するトラックネームであるディスク再生装置。
【請求項４】
請求項２記載のディスク再生装置において、タイトルネームはディスクネームであるディスク再生装置。
【発明の詳細な説明】
【０００１】
【発明の属する技術分野】
本発明は、ディスク例えばミニディスク（ＭＤ）の再生を行なうディスク再生装置に関する。
【０００２】
【従来の技術】
従来、タイトルネームとして、例えばトラックナンバー（ＴＮＯ）に対応するトラックネームを記録したディスク、例えばＭＤ、を再生するディスク再生装置において、ＭＤの再生時、１つのＴＮＯにおけるトラックネームの表示は１行表示器（例えば液晶表示器）で表示され、該表示器のセグメント数にも限りがあるため、トラックネームとして曲名とそれに続いて歌手名を入れた場合、文字数が多くなるため、通常後半の歌手名部分が同時に表示されていることはなく、スクロールして表示しなければならない。
例として、図４に示すように、文字や記号からなるキャラクタを１２個表示できる１行表示器の場合、例えばトラックネームとして「００１  エスカレーション／トモサカリエ」という１９個のキャラクタ（スペースを含む）を入力しても、表示部Ｄからはみ出してしまうことがほとんどである。
【０００３】
【発明が解決しようとする課題】
しかしこれでは、せっかく曲名と歌手名を入れても全部表示されず、ほとんどが最初にスクロールする際に一瞬見れるだけであり確認しづらいという問題があった。
【０００４】
本発明の目的は、上記の問題点を解決し、タイトルネームの表示を改良したディスク再生装置を提供することにある。
【０００５】
【課題を解決するための手段】
本発明に係るディスク再生装置は、タイトルネームを記録したディスクを再生するディスク再生装置であって、前記ディスクの再生時、前記タイトルネームを構成する複数のキャラクタのうちの特定のキャラクタを判別する判別手段と、前記判別手段の判別結果に基づいて、前記タイトルネームを前記特定のキャラクタより前のキャラクタ部分と後のキャラクタ部分とを別々に表示する表示手段とを備え、表示手段が、前記判別手段の判別結果に基づいて、前記タイトルネームを前記特定のキャラクタより前のキャラクタ部分と後のキャラクタ部分とを別々の行に表示するものである。
【０００７】
また、本発明に係るディスク再生装置は、ディスクがミニディスクであるものである。
【０００８】
また、本発明に係るディスク再生装置は、タイトルネームがトラックナンバーに対応するトラックネームであるものである。
【０００９】
また、本発明に係るディスク再生装置は、タイトルネームがディスクネームであるものである。
【００１０】
【作用】
タイトルネームを記録したディスクをディスク再生装置で再生する際、タイトルネームを構成する複数のキャラクタのうちの特定のキャラクタを判別し、その判別結果に基づいて、タイトルネームを特定のキャラクタより前のキャラクタ部分と後のキャラクタ部分とを別々に（例えば行を変えて）表示する。
したがって、長いタイトルネームを入力したいときには、特定のキャラクタを挿入することにより、タイトルネームを全て表示させることができ、見易く使い勝手が良くなる。
【００１１】
【発明の実施の形態】
図１は、本発明に係るディスク再生装置の一実施例であるＭＤ再生装置のブロック図を示す。
図１において、１はＲＦマトリクスアンプであり、ＭＤの記録再生に使用するＲＦ信号、サーボ信号を処理する。このＲＦマトリクスアンプ１は、光ピックアップアセンブリ１１のフォーカス及びトラッキングの制御に必要なフォーカスエラー信号及びトラッキングエラー信号と、さらにレコーダブルＭＤ記録エリアのアドレス情報であるＡＤＩＰ（ＡＤｒｅｓｓ  Ｉｎ  Ｐｒｅｇｒｏｏｖｅ  ）のＦＭ変調信号をサーボ、ＥＦＭ／ＡＣＩＲＣエンコーダ・デコーダ２に出力する。また、このＲＦマトリクスアンプ１にはレーザー光の出射光量を一定とするＡＰＣ回路も含まれている。
【００１２】
２はサーボ、ＥＦＭ／ＡＣＩＲＣエンコーダ・デコーダであり、サーボ制御部とＥＦＭ／ＡＣＩＲＣエンコーダ・デコーダ部とからなる。
サーボ制御部は、ＲＦマトリクスアンプ１の内の光ピックアップからのフォーカスエラー信号及びトラッキングエラー信号を受けて光ピックアップのフォーカスサーボ信号及びトラッキングサーボ信号と、さらにＡＤＩＰ信号からディスクモーターコントロール用サーボ信号とアドレス情報を取り出し、光ピックアップとその送り機構の制御及びディスクの回転制御等を行なっている。
【００１３】
ＥＦＭ／ＡＣＩＲＣエンコーダ・デコーダ部は、エンコード時は、ＡＴＲＡＣ（Ａｄａｐｔｉｖｅ  ＴＲａｎｓｆｏｒｍ  Ａｃｏｕｓｔｉｃ  Ｃｏｄｉｎｇ）エンコーダ・デコーダ３によりエンコードされたＡＤＣ（Ａｎａｌｏｇ−Ｄｉｇｉｔａｌ  Ｃｏｎｖｅｒｔｅｒ）１０からのＡＤ変換されたオーディオ入力信号をＡＣＩＲＣを用いて誤り訂正符号を付加し、ＥＦＭ変調し、光学ピックアップアセンブリ１１に出力する。デコード時は、ＲＦマトリクスアンプ１から入力されるＥＦＭ信号をＥＦＭ復調し、ＡＣＩＲＣによる誤り訂正を行ない、ＡＴＲＡＣエンコーダ・デコーダ３に出力する。この信号はＡＴＲＡＣデコードされ、ＤＡＣ（Ｄｉｇｉｔａｌ−Ａｎａｌｏｇ  Ｃｏｎｖｅｒｔｅｒ）９によりＤＡ変換され、アナログオーディオ出力信号となる。
【００１４】
３はＡＴＲＡＣエンコーダ・デコーダであり、ＭＤ記録再生の音声圧縮・伸長を行なう。ここで、音声圧縮データは元のデータの約１／５に圧縮されており、また、ＭＤの回転速度はＣＤと同じＥＦＭの規定速度のため、データの入力量と出力量に約５倍もしくは１／５の差ができてしまうので、データバッファとしてショックプルーフメモリと呼ばれるＤＲＡＭ４を用いている。
５はマイクロ・コンピュータ等で構成されるシステム・コントローラであり、ＲＦマトリクスアンプ１とサーボ、ＥＦＭ／ＡＣＩＲＣエンコーダ・デコーダ２に指示を出し、通常再生、記録、ポーズ、ストップ、サーチ等を行わせる。またサーボ、ＥＦＭ／ＡＣＩＲＣエンコーダ・デコーダ２からは、ＭＤに記録されているＴＯＣ及びＵＴＯＣの情報やアドレス情報を受けてその解読や時間表示データの生成等を行なう。
【００１５】
６はメモリであり、システム・コントローラ５経由で受け取ったＴＯＣ及びＵＴＯＣ情報等のＭＤの再生、トラックネームやディスクネーム等のタイトルネームの表示等に必要な管理情報をストックしており、必要な時に読み出し及び書き込みを行なう。
７はキーマトリクスであり、ユーザーのキー操作による指示を受け、システム・コントローラ５に通常再生、記録、ポーズ、ストップ、サーチ等の制御、メモリ６の読み出し及び書き込み、ディスプレイ８への表示のリクエスト等を行なう。
８は表示器であり、この例では図２及び図３に示すように、文字や記号からなるキャラクタを１２個表示できる２行表示器である。
【００１６】
一方、ＭＤで用いられているセクターフォーマットのＵＴＯＣエリアセクター０には、記録した音楽データの管理情報やＴＮＯ等が記録され、また、ＵＴＯＣエリアセクター１にはディスクネーム、トラックネーム等のタイトルネームを表すキャラクタ情報が記録されている。
そこで、ＭＤの再生時には、ＵＴＯＣエリアセクター０に記述されている各ＴＮＯに対する音楽データの記録されているプログラムエリアのアドレス情報に元にして音楽データを再生し、同時にＵＴＯＣエリアセクタ１に記述されている各ＴＮＯに対応したトラックネーム及びディスクネームの情報を元にしてその内容をディスプレイ８に表示することが可能となる。
【００１７】
また、ＭＤへの記録時には、プログラムエリアに記録された音楽情報のスタート及びエンドアドレス情報をＵＴＯＣエリアセクタ０内にＴＮＯと関連させて記録し、また、入力されたディスクネーム・トラックネーム情報をＵＴＯＣエリアセクタ１内にＴＮＯと関連させて記録する。
【００１８】
そこで、ユーザーがＴＮＯの００１にトラックネームとして曲名（例えば「エスカレーション」）と歌手名（例えば「トモサカリエ」）を入力する場合、その曲名と歌手名の間に特定のキャラクタ「／」（アスキーコード２ＦＨ）を入力する。
【００１９】
その後のＭＤ再生時に、ユーザーがＴＮＯ  ００１のトラック選択をキーマトリクス７で行なうと、システム・コントローラ５は、トラックネーム中にキャラクタ「／」を表わすキャラクタコードの有無を判別し、このキャラクタコードが存在するという判別結果が得られた場合は、図２に示すように、２行表示器８の１行目に「／」より前のキャラクタ部分、すなわち曲名部分を表示し、２行目に「／」以降のキャラクタ部分、すなわち歌手名を表示する。なお、「／」は判別情報として用いられ、表示器８の表示部には表示されない。
したがって、ＭＤ再生時に、入力した曲名と歌手名を常に同時に見ることができ、使い勝手が良くなる。
【００２０】
【実施例】
なお、プリマスタードのＭＤ等でトラックネームに曲目のみで「／」を発見できない場合やユーザー自身の入力時に「／」を入れていない場合には、システム・コントローラ５がトラックネーム中にキャラクタ「／」を表わすキャラクタコードがないことを判別し、その判別結果に基づいて、図３に示すように、１行目にトラックネームを表示し、２行目にトラックネーム以外の他の表示内容、例えば時間表示をすることもできる。
【００２１】
また、上記の例では、特定のキャラクタを「／」としたがそれ以外のキャラクタとすることもできる。例えば、「＊／＊」のように複数の文字列でも可能である。これは、アルバムが１／２、２／２になっていたときに「／」では表示がおかしくなるのを防ぐものである。
【００２２】
また、上記の例では、タイトルネームがトラックネームの場合について説明したが、タイトルネームがディスクネームの場合にも同様に実施することができる。
【００２３】
また、ＭＤ以外に、タイトルネームが入力できるディスクすべてに応用できる。
【００２４】
以上述べたように、種々のタイトルネームを表示する際、表示器の一定の表示面積の中で文字情報を見やすい状態で表示できる。
また、ＭＤのラベル印刷、カセットのラベル印刷等のハードコピー（紙等）に際しても、この発明を実施することにより、大変見やすくなる。
【００２５】
【発明の効果】
本発明によれば、見易く使い勝手の良いタイトルネーム表示が可能なディスク再生装置が得られる。
【図面の簡単な説明】
【図１】本発明に係るディスク再生装置の一実施例であるＭＤ再生装置のブロック図を示す。
【図２】図１の表示器の表示の一例を示す。
【図３】図１の表示器の表示の他の例を示す。
【図４】従来のＭＤ再生装置の表示器の表示例を示す。
【符号の説明】
１    ＲＦマトリクスアンプ
２    サーボ、ＥＦＭ／ＡＣＩＲＣエンコーダ・デコーダ
３    ＡＴＲＣエンコーダ・デコーダ
４    ＤＲＡＭ
５    システム・コントローラ
６    メモリ
７    キーマトリクス
８    ディスプレイ
９    ＤＡＣ
１０  ＡＤＣ
１１  光学ピックアップアセンブリ
【図１】
0003552425.tif 000002
【図２】
0003552425.tif 000003
【図３】
0003552425.tif 000004
【図４】
0003552425.tif 000005